(57)【特許請求の範囲】
【請求項１】
前面に遊技領域を構成した遊技盤の裏側に入賞球用の誘導樋ユニットが取着され、この誘導樋ユニットの背面側に遊技内容・遊技部品・制御内容に適応する方形状の各種サイズの回路基板を選択的に着脱交換可能に配置し得るようにした遊技機において、
前記遊技盤の裏側に取着された前記誘導樋ユニットは、
前記遊技盤の裏面に対向する側に前記遊技領域で発生した入賞球を導入して下方に案内する球誘導路が区画形成されるとともに、この球誘導路の背面を覆う裏側に前記回路基板を取着セットする基板取付け部が左右方向の横長範囲に亘り形成される一方、該基板取付け部に対して前記回路基板を固定化保持するための基板支持部材が左右方向への移動及び位置替え可能に設置されており、
前記基板取付け部では、
該基板取付け部の外周壁となる外縁フレームが前記回路基板の上下長さと同長にして左右方向に横長にした方形枠状に形成され、この外縁フレームの左右側縁の上下部に前記回路基板の隅角部を差込み状態で嵌合して位置決めをなし得る嵌合片が形成され、
前記外縁フレームの上縁と下縁に沿って前記基板支持部材を移動案内する空間部が左右方向に開口形成されるとともに、この上下の空間部の間の左右方向に亘り前記基板支持部材を移動可能にガイドするガイド壁が形成されて、該ガイド壁の頂面部にねじ締付用のねじ孔が前記基板支持部材の移動方向にほぼ等間隔に並べて複数個配置されており、
前記基板支持部材では、
該基板支持部材自体の主体部として前記基板取付け部の外縁フレーム内側の上下間の長さと等長に形成されて一側縁に沿って前記回路基板差込み用の保持溝を形成した保持部と、
この保持部の上下端部に形成されて前記外縁フレームの空間部内に嵌挿される脚状の台座部と、
両台座部間に形成されて前記ガイド壁を跨ぐように嵌合する凹部と、
前記保持部の保持溝の反対側の側縁中央部に横向き突出状に形成されて前記ガイド壁の頂面部に位置する取付け片と、を備え、
前記基板取付け部の前記ガイド壁を跨いで左右方向に移動可能に設置されるとともに前記取付け片に開設した貫通孔と前記ガイド壁の各ねじ孔との間にねじを締付けて位置替え可能に定置保持されるようになっており、
前記回路基板を前記基板取付け部の外縁フレームに載置して該回路基板の一側縁側の上下隅角部を当該側の嵌合片に差込むように嵌合して位置決めした状態で、回路基板の他側縁を基板支持部材の保持溝に嵌込んで該基板支持部材自体を前記ガイド壁の所定のねじ孔の位置にねじ止めすることにより、回路基板を固定化保持し得るように構成したことを特徴とする遊技機。
【発明の詳細な説明】
【０００１】
【発明の属する技術分野】
本発明は回路基板を装着した遊技機に関し、詳しくは、遊技機本体部への回路基板の装着機構に関する。
【０００２】
【従来の技術】
遊技ホールに設置されているいわゆるパチンコ遊技を実施するための弾球遊技機やその他の据置型遊技機（スロットマシン、カードゲーム機等）には、数多くの電気部品が装備されている。例えば、弾球遊技機においては遊技盤上に液晶ディスプレイを備えた表示装置（センター役物）や各種入賞装置等の電気部品が装備されている。そして、かかる電気部品を多数備えた遊技機には、これらを作動・制御するために電気的に接続された回路基板が装着されている。例えば、弾球遊技機の場合、遊技機裏面側の典型的には遊技盤の背面や誘導樋（球誘導路を構成する部材）の一部において、回路基板を装着するための基板取付け部が設けられている。而して、かかる基板取付け部には、弾球遊技機の遊技盤等に装着された遊技装置類の作動を制御するメイン制御基板や当該制御基板と装置類とを中継する中継基板が装着されている。
【０００３】
ところで、弾球遊技機等の遊技機においては、実施する遊技内容に応じて装着する電気部品（弾球遊技機では入賞装置、センター役物等）を変更したり或いはその作動態様を異ならせることとなる。そして、このことに対応して、使用する回路基板のサイズが異なる場合がある。このため、従来、使用する回路基板のサイズに対応して上記基板取付け部の形状を変更する必要があった。従って、従来の弾球遊技機等では、使用する回路基板のサイズに対応する形状の基板取付け部が設けられた構成部材（上記誘導樋等）を別途作製しておき、使用する回路基板の変更・取り替えに伴って、かかる基板取付け部構成部材の変更・取り替えを行っていた。
【０００４】
【発明が解決しようとする課題】
しかしながら、回路基板のサイズ変更に伴う上記従来の対処によっては、多数の基板取付け部構成部材（合成樹脂製の上記誘導樋等）を作製しなければならず、遊技機の製造コスト（例えば複数の金型の製作コスト）の上昇につながる。また、複数の基板取付け部構成部材を製造することに伴う在庫管理や生産管理も煩雑になる。さらには、既存の遊技機の回路基板をサイズの異なる他の回路基板に取り替える場合に、基板取付け部構成部材も一緒に取り替えねばならない結果、当該遊技機の仕様変更に伴うコスト上昇に加えてメインテナンスも煩雑となり、好ましいことではなかった。
【０００５】
本発明は、遊技機に装着される回路基板のサイズ変更に伴う上記従来の問題点を解決すべく創出されたものであり、その目的とするところは、煩雑な操作や主要構成部材の変更を伴わずに遊技盤に装着される回路基板のサイズ変更を伴う取り替えを容易に行い得る基板取付け部を有する遊技機を提供することである。
【０００６】
【課題を解決するための手段】
前面に遊技領域を構成した遊技盤の裏側に入賞球用の誘導樋ユニットが取着され、この誘導樋ユニットの背面側に遊技内容・遊技部品・制御内容に適応する方形状の各種サイズの回路基板を選択的に着脱交換可能に配置し得るようにした遊技機において、
前記遊技盤の裏側に取着された前記誘導樋ユニットは、
前記遊技盤の裏面に対向する側に前記遊技領域で発生した入賞球を導入して下方に案内する球誘導路が区画形成されるとともに、この球誘導路の背面を覆う裏側に前記回路基板を取着セットする基板取付け部が左右方向の横長範囲に亘り形成される一方、該基板取付け部に対して前記回路基板を固定化保持するための基板支持部材が左右方向への移動及び位置替え可能に設置されており、
前記基板取付け部では、
該基板取付け部の外周壁となる外縁フレームが前記回路基板の上下長さと同長にして左右方向に横長にした方形枠状に形成され、この外縁フレームの左右側縁の上下部に前記回路基板の隅角部を差込み状態で嵌合して位置決めをなし得る嵌合片が形成され、
前記外縁フレームの上縁と下縁に沿って前記基板支持部材を移動案内する空間部が左右方向に開口形成されるとともに、この上下の空間部の間の左右方向に亘り前記基板支持部材を移動可能にガイドするガイド壁が形成されて、該ガイド壁の頂面部にねじ締付用のねじ孔が前記基板支持部材の移動方向にほぼ等間隔に並べて複数個配置されており、
前記基板支持部材では、
該基板支持部材自体の主体部として前記基板取付け部の外縁フレーム内側の上下間の長さと等長に形成されて一側縁に沿って前記回路基板差込み用の保持溝を形成した保持部と、
この保持部の上下端部に形成されて前記外縁フレームの空間部内に嵌挿される脚状の台座部と、
両台座部間に形成されて前記ガイド壁を跨ぐように嵌合する凹部と、
前記保持部の保持溝の反対側の側縁中央部に横向き突出状に形成されて前記ガイド壁の頂面部に位置する取付け片と、を備え、
前記基板取付け部の前記ガイド壁を跨いで左右方向に移動可能に設置されるとともに前記取付け片に開設した貫通孔と前記ガイド壁の各ねじ孔との間にねじを締付けて位置替え可能に定置保持されるようになっており、
前記回路基板を前記基板取付け部の外縁フレームに載置して該回路基板の一側縁側の上下隅角部を当該側の嵌合片に差込むように嵌合して位置決めした状態で、回路基板の他側縁を基板支持部材の保持溝に嵌込んで該基板支持部材自体を前記ガイド壁の所定のねじ孔の位置にねじ止めすることにより、回路基板を固定化保持し得るように構成した遊技機を提供する。
【０００７】
かかる構成の本発明に係る基板取付け部では、上記のとおり、回路基板を支持する基板支持部材の配置（取付け）位置を適宜変更させることができるため、当該一つの基板支持部材によってサイズの異なる数タイプの回路基板（典型的には、矩形状の基板の一方向（横幅）が相互に異なるもの）を選択的に当該基板取付け部において支持・装着することができる。従って、本発明の遊技機によれば、かかる構成の基板取付け部が設けられた結果、基板取付け部自体の構造を改変（基板取付け部を構成する部材の交換等）することなく、当該基板取り付け部に装着されている回路基板を当該基板とはサイズの異なる他の基板に容易に取り替えることができる。このため、本発明の遊技機では、上記汎用的な基板取付け部を設けた結果、他の主要な遊技機構成部材（例えば弾球遊技機における誘導樋）を交換することなく、種々のサイズの回路基板の装着および交換を行うことができる。従って、本発明の遊技機によれば、上記従来におけるもののように基板取付け部構成部材を回路基板のサイズ変更を想定して何種類も予め作製しておく必要がなくなり、それに伴う製造コストや在庫・生産管理の手間を削減することができる。また、回路基板の装着部位に制約されることなく、遊技内容の変更に伴って制御基板や中継基板等の回路基板のサイズ変更を行うことができる。
【０００８】
また、本発明の遊技機によれば、上記ガイド壁に沿って基板支持部材を移動させることによって当該基板支持部材の配置位置を変更し得る。従って、かかる構成の遊技機によれば、基板支持部材の移動が当該ガイド部に規制されつつ行われることで、基板支持部材の配置位置の変更に際してその位置決め等が容易となる。従って、当該変更に伴う作業を容易且つ的確に行うことができる。
【０００９】
また、本発明の遊技機によれば、回路基板はその縁部の一端を利用して上記基板支持部材に支持され得る。このため、回路基板のほぼ中央部分に配されるプリント配線部分や電気素子類装着部分（以下、単に「配線部分」という。）が当該支持に際して物理的に干渉されること（例えば基板支持部材との接触）を回避することができる。従って、かかる構成の本発明の遊技盤によれば、配線部分の形状を物理的制約とすることなく、サイズの異なる数タイプの回路基板を選択的に基板取付け部に装着することができる。
【００１０】
【発明の実施の形態】
以下、本発明の遊技機としての一典型例である弾球遊技機（パチンコ機）について図面を参照しつつ説明する。なお、図１は、本実施形態に係る弾球遊技機１の裏面構成を示す背面図である。図２は、裏セット板を取り外して遊技盤の裏面側が露出した状態を示す背面図である。また、図３は、図２における主要部拡大図である。
【００１１】
本実施形態に係る弾球遊技機１は、長方形枠状に成形された木枠２の前面に額縁状に成形された前枠３および金枠（図示せず）を備え、その内側に遊技盤１９（即ち、釘や風車等を適当に配置した遊技領域を構成する板状部材）を配備した通常の弾球遊技機１である。図１および図２に示すように、前枠３の裏面には、その開口部の周縁部においてベース枠４が組み付けられている。このベース枠４の枠内には遊技盤１９（図２）が着脱可能に嵌め込まれている。この遊技盤１９の裏面の中央部には、後述する上誘導樋ユニット２０及び下誘導樋ユニット４０等が組み付けられている（図２、図３）と共に、これら上誘導樋ユニット２０及び下誘導樋ユニット４０を覆うようにして裏カバー体１５が開閉可能に装着されている（図１）。また、遊技盤１９の下方には遊技球発射装置５が装着されている。
【００１２】
一方、図１に示すように、遊技盤１９の後方の周縁部には裏セット機構９が配設されている。裏セット機構９の主体部をなす裏セット板１０は、裏カバー体１５の周囲を取り囲むようにして枠状に構成されている。そして、裏セット板１０は、その一方の側（図１の向かって右側）において裏セットヒンジ８によってベース枠４の一側に開閉可能に組み付けられている。さらに、裏セット板１０は、その自由端側（図１の向かって左側）において複数の締め具４ａによってベース枠４に対し脱着可能に締め付けられている。これによって裏セット板１０はベース枠４に対して閉じ状態に保持されている。なお、ベース枠４に嵌込まれた遊技盤１９は閉じ状態の裏セット板１０に押し付けられて保持されている。
【００１３】
図１に示すように、通常の弾球遊技機と同様に、この裏セット板１０には、球貯留タンク１１、タンクレール１１ａ、配電盤１２の他、図示しない賞球払出し装置や下部集合樋等の裏セット機構９を構成する各種機器類が配設されている。また、裏カバー体１５の裏面には、パチンコ制御の主要部をなす制御回路を有する制御基板（図示せず）が収納された基板収納ボックス１７が取り付けられている。なお、裏セット板１０に装着されるこれら装置類は、一般的な弾球遊技機で通常使用され得るものであればよく、本発明を特定する事項ではないため、詳細な説明は省略する。
【００１４】
次に、本実施形態に係る誘導樋について説明する。図２および図３に示すように、遊技盤１９の裏面の中央部には、上下２つに分割構成された上誘導樋ユニット２０と下誘導樋ユニット４０とが隣接してそれぞれ組み付けられている。図３に示すように、上誘導樋ユニット２０は、上部誘導樋２３やそれに付設される後述の回路基板等から構成されている。このユニット２０の主要構成部材である上部誘導樋２３は、遊技盤１９中央に装着された液晶ディスプレイ装置２２を備えたセンター役物２１の当該液晶ディスプレイ装置２２を取り囲むように枠状に成形されている（典型的には合成樹脂の射出成形等によって成形され得る。）。而して、この上部誘導樋２３には、センター役物２１の両側方に設けられた一般入賞装置（図示せず）の入賞口から入賞した遊技球をそれぞれ遊技盤１９の裏面側において誘導案内するための左右の側部球誘導路２４ａ，２４ｂがそれぞれ形成されている。
【００１５】
また、この上部誘導樋２３には、センター役物２１上部の両側部分に対応する位置において基板取付け部２５ａ，２５ｂがそれぞれ形成されている。これら基板取付け部２５ａ，２５ｂには、図示しないねじと回止めピンによってそれぞれ回路基板２６ａ，２６ｂが取り付けられている。これら回路基板２６ａ，２６ｂには、遊技盤１９表面側の対応する位置に取り付けられた装飾風車器（図示せず）を発光させるための複数（例えば４つ）の発光ダイオード等よりなる発光素子（図示せず）が組み付けられている。また、これら回路基板２６ａ，２６ｂには、当該回路基板２６ａ，２６ｂ上に構築されている発光回路に接続するレセプタクル２７ａ，２７ｂが配設されている。当該レセプタクル２７ａ，２７ｂは、図示しない接続コードの端末に設けられる一般的なコネクタプラグが差し込まれ得る形状を為している。これによって、当該回路基板２６ａ，２６ｂは他の外部の回路基板（ここでは後述する中継基板３０）等と接続コードを介して電気的に接続され得る。
【００１６】
さらに、図３に示すように、この上部誘導樋２３には、センター役物２１の両側方であって側部球誘導路２４ａ，２４ｂ形成部分の上面の所定の部位には、基板取付け部２５ｃ，２５ｄがそれぞれ形成されている。これら基板取付け部２５ｃ，２５ｄには、図示しないねじと回止めピンによってそれぞれ回路基板２８ａ，２８ｂが取り付けられている。これら回路基板２８ａ，２８ｂには、遊技盤１９表面側の対応する位置に取り付けられた上記一般入賞装置（図示せず）の入賞口形成部分を発光させるための複数の発光ダイオード等よりなる発光素子（図示せず）が組み付けられている。そして上記回路基板２６ａ，２６ｂと同様、これら回路基板２８ａ，２８ｂにも発光回路に接続するレセプタクル２９ａ，２９ｂが配設されており、これによって接続コードを介して他の外部の回路基板等と電気的に接続することができる。
【００１７】
次に、本実施形態に係る弾球遊技機１の特徴的部分である下誘導樋ユニット４０について説明する。図３に示すように、本実施形態に係る下誘導樋ユニット４０は、下部誘導樋４１やそれに付設される後述の回路基板３０等から構成されている。このユニット４０の主要構成部材である下部誘導樋４１は、上記上部誘導樋２３の下方に隣接して備えられる長尺形状に成形されている（典型的には合成樹脂の射出成形等によって成形され得る。）。而して、図３に示すように、この下部誘導樋４１の両端部分（即ち遊技盤１９に本下部誘導樋ユニット４０を取り付けるための部分）を除く中央部分はフラットな台状に張り出した誘導樋形成部４１ａが形成されている。而して、図２および図３に示すように、当該誘導樋形成部４１ａのフラットな表面部には、本実施形態に係る本発明の基板取付け部５０が形成されている。かかる基板取付け部５０の詳細については後述する。
【００１８】
この誘導樋形成部４１ａの内部には、上記側部球誘導路２４ａ，２４ｂに連通する下部球誘導路４２ａ，４２ｂが形成されている。それら下部球誘導路４２ａ，４２ｂの間すなわち下部誘導樋４１の中央部分には、遊技盤１９の表面側においてセンター役物２１の中央下方に装備される入賞装置（図示せず）の入賞口から入賞した遊技球を遊技盤１９の裏面側において誘導案内するための図示しない中央下球誘導路も形成されている。而して、誘導樋形成部４１ａの内部に形成された上記下部球誘導路４２ａ，４２ｂおよび中央下球誘導路の下端側の開口部４３ａ，４３ｂは、裏セット機構９の一構成部である図示しない下部集合樋に連通している。これにより、いずれかの入賞口から入賞した遊技球を各誘導樋（誘導路）を介して遊技盤１９裏面側に回収しつつ弾球遊技機外に送出することができる。なお、本弾球遊技機１における入賞球のかかる送出機構や入賞装置自体は、通常の弾球遊技機におけるものと同様であり、特に本発明を特徴付けるものでもないため、詳細な説明は省略する。
【００１９】
また、誘導樋形成部４１ａの両側方部には、図示しないランプを収容するランプ収納部４５ａ，４５ｂがそれぞれ形成されている。それらランプ収納部４５ａ，４５ｂの表面部には、当該ランプと接続される回路基板３２ａ，３２ｂがそれぞれ装着されている。そして上記回路基板２６ａ，２６ｂ，２８ａ，２８ｂと同様、これら回路基板３２ａ，３２ｂにも、当該基板に設けられたランプ点滅発光回路に接続するレセプタクル３３ａ，３３ｂが配設されており、これによって接続コードを介して他の外部の回路基板等と電気的に接続することができる。
【００２０】
次に、この下部誘導樋４１に設けられた基板取付け部５０について説明する。図４は、図３から基板取付け部５０のみを抜き出して示した正面図である。図５は、基板取付け部５０を構成する主要構成部材（下部誘導樋４１に固着されている部分）を示した正面図である。また、図６の（ａ）（ｂ）（ｃ）および（ｄ）は、それぞれ、本実施形態に係る基板支持部材６０の構造を示す左側面図、正面図、右側面図、および下面図である。さらに、図７は、図４におけるＶＩＩ−ＶＩＩ線断面図である。
【００２１】
図３、図４および図５に示すように、誘導樋形成部４１ａ表面部には、当該表面部のほぼ全体を囲うようにして、弾球遊技機裏面側からみて矩形状の外縁フレーム５１（典型的には合成樹脂製またはメッキ処理された金属製）が形成されている。この外縁フレーム５１の誘導樋形成部４１ａ表面からの高さは、四方に亘って同じであり、当該外縁フレーム５１上に回路基板が載置される（図３、図４）。このことの詳細は後述する。而して、この外縁フレーム５１に包囲された内側には、本実施形態に係るガイド部５５（典型的には合成樹脂製またはメッキ処理された金属製）が形成されている。すなわち、図５および図７に示すように、外縁フレーム５１に包囲された内側のほぼ中央付近を当該外縁フレーム５１の両短辺方向（横方向）に延伸する直方体ブロック状のガイド部５５（以下「ガイド壁５５」という。）が形成されている。図５に示すように、このガイド壁５５の横方向に延伸している本体部の両端部分に相当する端部５５ａ，５５ｂ（以下「壁端部５５ａ，５５ｂ」という。）は、当該フレーム５１の短辺内側に当接しており、且つ、両長辺方向（上下方向）に当接するまで延伸されて形成されている。これにより、本基板取付け部５０の正面からみて、外縁フレーム５１の内側面とガイド壁５５の側壁面とに囲まれた上下二つの空間部５７が形成されている。なお、図７に示すように、ガイド壁５５の誘導樋形成部４１ａ表面からの高さは、外縁フレーム５１の高度よりも低く窪むように設定されている。また、図５に示すように、外縁フレーム５１よりも窪んだガイド壁５５のフラットな頂に相当する上面部の中央には、左右両短辺方向にほぼ等間隔でねじ締付用のねじ孔５６が形成されている。
【００２２】
一方、図５に示すように、外縁フレーム５１の四方のコーナー部の外方には、回路基板３０の四隅を保持するコーナーフレーム５２ａ，５２ｂ，５２ｃ，５２ｄが当該外縁フレーム５１のコーナー部分の外側面に接して突設されている。これらコーナーフレーム５２ａ，５２ｂ，５２ｃ，５２ｄは、外縁フレーム５１の上に回路基板３０を載置した場合よりも若干高くなるように形成されている。このことによって、外縁フレーム５２ａ，５２ｂ，５７ａ，５７ｂ上に載置した回路基板の縁を密着させることができる。さらに、図５に示すように、これらコーナーフレーム５２ａ，５２ｂ，５２ｃ，５２ｄの頂部には、略三角形状の嵌合片５３ａ，５３ｂ，５３ｃ，５３ｄが外縁フレーム５１のコーナー部を覆うようにして形成されている。而して、当該嵌合片５３ａ，５３ｂ，５３ｃ，５３ｄの下面と外縁フレーム５１の頂面との間には、回路基板３０の端部が嵌め込まれ得る嵌合間隙５４ａ，５４ｂ，５４ｃ，５４ｄが形成されている。このことによって、外縁フレーム５１上に載置された回路基板３０の対応コーナー部分を当該嵌合片５３ａ，５３ｂ，５３ｃ，５３ｄの下面側に嵌め込んで保持することができる。
【００２３】
次に、本実施形態に係る基板支持部材６０について説明する。図６に示すように、本実施形態に係る基板支持部材６０は典型的には合成樹脂製またはメッキ処理された金属製であり、大まかにいって、長尺橋桁状の保持部６１と当該保持部６１の下部に形成された橋脚状の台座部６２とから構成されたブリッジ状の部材である。この橋桁状の保持部６１の長軸方向（即ち上下方向）のサイズは上記外縁フレーム５１の長辺間（フレーム部分を含む）の長さと等しくなるように形成されている（図４）。一方、図６（ａ）および（ｃ）から明らかなように、橋脚状の台座部６２の長軸方向のサイズは、保持部６１の長軸方向の両端から外縁フレーム５１の厚みだけ短くなるように形成されている。また、台座部６２は、ガイド壁５５の上面部を挟み込む態様で当該ガイド壁５５と係合し得るフラットアーチ状の凹部６２ａが形成されている。また、図６（ｄ）に示すように、保持部６１の下部であって台座部６２に隣接する部分の長軸方向の一方には、回路基板３０の縁部の一端を差し込んで保持し得る保持溝６１ａが形成されている。他方、当該保持溝６１ａが形成されている側の反対側において、台座部６２の凹部６２ａに近接する上部側面には、横方向に張り出した取付け片６３が形成されている。而して、当該取付け片６３のほぼ中央には上記ガイド壁５５のねじ孔５６の径に対応する貫通孔６３ａが形成されている。かかる構成の結果、図７に示すように、本実施形態に係る基板支持部材６０をガイド壁５５の凹部６２ａに挟み込むようにして、当該ガイド壁上に配置した際には、外縁フレーム５１の直上に保持溝６１ａが位置することとなり、当該溝６１ａ内に外縁フレーム５１上に載置した回路基板３０の一端を嵌め込んで保持することができる。また、ガイド壁５５上面部の直上に取付け片６３が位置することとなり、後述のようにしてガイド壁５５上面部においてねじ止めすることができる。
【００２４】
而して、図４および図７に示すように、本実施形態に係る基板支持部材６０は、ガイド壁５５を凹部６２ａに挟み込むようにして基板取付け部５０に配置された際、いわば跨座式モノレールと同様に係合した状態で、当該ガイド壁５０に沿ってスライド移動させることができる。従って、ガイド壁５５のいずれか一方の壁端部５５ａ，５５ｂに台座部６２が当接するまでの区間（即ち空間部５７）内で、その配置位置を選択的に変更することができる。すなわち、本実施形態に係る基板支持部材６０は、ガイド壁５５に規制されつつ上記区間内のいずれかの位置にスライド移動させ得るとともに、そのいずれかの位置においてガイド壁５５上面部に設けられたねじ孔５６と取付け片６３の貫通孔６３ａとを合わせてねじ止めし、当該位置に基板支持部材６０を固定することができる。このように本実施形態においては、基板支持部材６０の配置位置の変更すなわち位置決めを容易に行うことができ、当該変更に伴う作業を容易且つ的確に行うことができる。
【００２５】
次に、上記構成の基板取付け部５０に装着される回路基板３０および当該基板３０の基板取付け部５０における支持態様について説明する。本実施形態に係る下部誘導樋４１の基板取付け部５０に装着される回路基板３０は、本弾球遊技機１の遊技盤１９に装備された電気部品（各種遊技装置類）と当該装置類の作動を制御する上記制御基板とを中継する中継基板３０である。図４に示すように、この中継基板３０上には、図示しない種々の回路素子と共にいくつかのレセプタクル３０ａが配設されている。これにより、他の電気部品や制御基板に接続された図示しない接続コードの一端に設けられるコネクタプラグを当該レセプタクル３０に差し込むことによって、当該中継基板３０を他の回路基板（例えば上記回路基板２６ａ，２６ｂ，２８ａ，２８ｂ，３２ａ，３２ｂ）等と電気的に接続することができる。なお、中継基板３０に構築される回路は、本弾球遊技機１におけるパチンコ遊技の内容に応じて適宜異なり得るものであり、その内容自体は本発明を特に特徴付けるものではないため、具体例等を挙げた詳細な説明は省略する。
【００２６】
本実施形態に係る基板取付け部５０においては、図４に示すように、回路基板３０自体を直接ねじ止めすることなく基板取付け部５０に支持・装着することができる。典型的な本実施形態に係る基板取付け手順では、先ず、回路基板３０の対応する一辺のコーナー部を上記嵌合片５３ａ，５３ｃの下面側（即ち嵌合間隙５４ａ，５４ｃ）に嵌め込みつつ、回路基板３０全体を外縁フレーム５１上に載置する。次いで、当該載置した回路基板３０における縁部の一端（ここでは上記嵌合片５３ａ，５３ｃに嵌合されていない側の縁部）を、ガイド壁５５上をスライド移動させて接近させた基板支持部材６０の保持溝６１ａ（図６）に挟み込ませてその溝内に保持させる。而して、図４に示すように、その挟み込ませた位置に対応するねじ孔５６ａと貫通孔６３ａとにねじｖを締め付けることによって、その位置に基板支持部材６０を固定させ、同時に回路基板３０をその位置で支持することができる。かかる基板取付け手順によれば、本実施形態に係る基板取付け部５０に所望する回路基板３０（ここでは中継基板）を平易且つ確実に装着することができる。また、図３および図４に示すように、回路基板３０の縁部の一端を基板支持部材６０に支持させるため、回路基板３０のほぼ中央部分に配される配線部分が当該支持に際して当該基板支持部材６０によって物理的に干渉されることがない。このため、後述のとおり、配線部分の形状を物理的制約（配置スペース上の制限等）とすることなく、サイズの異なる数タイプの回路基板を選択的に基板取付け部５０に装着することができる。
【００２７】
以上の構成の基板取付け部５０および回路基板３０の支持態様によれば、図４に示す回路基板３０をサイズの異なる他の回路基板へ変更することが容易に行える。例えば、図８に示すように、上記図４に示す回路基板３０に代え、より大きいサイズの回路基板３４（一方の辺の長さが異なる大型基板）を装着することも容易に行うことができる。すなわち、上述の基板取付け手順の逆の手順によって、上記回路基板３０を取り外し、次いで、上記手順に従って、図８に示す大型の基板３４を装着することができる。このように、本実施形態においてはかかる基板の変更作業に際し、基板支持部材６０をガイド壁５５に沿って移動させ、その配置（ねじ止め）位置を異ならせるのみで回路基板のサイズ変更に対処することができる。
【００２８】
あるいは、本実施形態に係る基板取付け部５０および回路基板３０の支持態様によれば、図４に示す回路基板３０に加え、他の同サイズまたは異なるサイズの回路基板を増設することが容易に行える。例えば、図９に示すように、上記図４に示す回路基板３０に加え、サイズの異なる他の回路基板３５を基板取付け部５０に追加装着することも容易に行うことができる。すなわち、図４に示す基板取付け部５０にさらに上述の基板取付け手順によって、他の回路基板３５を装着する。具体的には、回路基板３５の対応する一辺のコーナー部を上記回路基板３０装着時には未利用であった二つの嵌合片５３ｂ，５３ｄの下面側（即ち嵌合間隙５４ｂ，５４ｄ）に嵌め込むことで、当該回路基板３５を外縁フレーム５１上に載置する。次いで、当該回路基板３５における縁部の一端（嵌合片５３ｂ，５３ｄに嵌合されていない側の縁部）を、上記基板支持部材６０と同形状である別の基板支持部材６０の保持溝６１ａに挟み込ませてその溝内に保持させる。而して、図９に示すように、その挟み込ませた位置に対応するねじ孔５６ａと貫通孔６３ａとにねじｖを締め付けることによって、その位置に基板保持部材６０を固定させ、同時に回路基板３５をその位置に支持する。このように、かかる基板の増設作業に際し、本実施形態においては、変更可能な多くの配置位置のなかから、適宜、基板支持部材６０の配置位置を選択することによって対処することができる。
【００２９】
以上、図８および図９に基づいて説明したように、本実施形態に係る基板取付け部５０によれば、弾球遊技機１（典型的には遊技盤１９）における電気部品類の配置状況に応じて、中継基板等の回路基板をサイズの異なる他の回路基板に取り替えおよび／または増設することができる。従って、遊技盤１９等に装備される電気部品（遊技装置類）が交換されるような場合であってそれに対応する中継基板のサイズや装着枚数が変更になる場合であっても、基板取付け部５０それ自体を構成部材（下部誘導樋４１）ごと交換することなく、かかる変更に対処することができる。このため、当該弾球遊技機１の仕様変更に付随する部品交換に要するコストを低減することができる。また、形状の異なる何種類もの下部誘導樋４１を用意する必要がないため、そのことに要する在庫・生産管理を行う手間がいらない。
【００３０】
以上、一般的な弾球遊技機１を例にして、本発明の遊技機の好適な一実施形態を説明したが、本発明においては回路基板のサイズに応じて当該回路基板を支持する基板支持部材の基板取付け部における配置位置が変更可能に構成されていればよく、上記実施の形態に限定されない。以下、本発明に係る基板取付け部として好適な他の形態を図面を参照しつつ説明する。なお、図１０は、本実施形態に係る基板取付け部７０の構造を模式的に示す正面図である。図１１（ａ）（ｂ）（ｃ）および（ｄ）は、それぞれ、本実施形態に係る基板支持部材の構造を示す左側面図、正面図、右側面図、および下面図である。さらに、図１２は、本実施形態に係る基板保持部材による回路基板の支持状況を模式的に説明する断面図である。
【００３１】
図１０に示すように、本実施形態に係る基板取付け部７０は、上記実施形態と同様、弾球遊技機１の下部誘導樋４１の誘導樋形成部４１ａ表面に形成され、中継基板３６を装着するものである。而して、上記実施形態のものと同形状の外縁フレーム７１、コーナーフレーム７２ａ〜ｄ、嵌合片７３ａ〜ｄおよびガイド壁７５から構成されている。また、上記と同様に、かかる嵌合片７３ａ〜ｄの下方には嵌合間隙７４ａ〜ｄが形成されている。従って、本実施形態に係る基板取付け部７０においても、先述の実施形態に係る基板取付け部５０と同様、嵌合間隙７４ａ〜ｄに回路基板３６の端部を嵌め込みつつ外縁フレーム７１上に当該回路基板３６を載置することができる。而して、図１０に示すように、本実施形態に係るガイド壁７５においては、そのフラットな上面部にねじ孔は設けられていない。一方、ガイド壁７５の両壁端部間に形成される空間部７７において、外縁フレーム７１からガイド壁７５本体部の側面方向に垂直に延伸するリブ状の隔壁７８が等間隔に複数形成されている。これら隔壁７８の高さは外縁フレーム７１のそれと同じである。かかる構成の結果、本実施形態に係る基板取付け部７０においては、後述する基板支持部材８０の配置位置を、各隔壁７８によって物理的に隔離されたいくつかの空間部７７ごとに変更することができる。なお、図１２に示すように、各隔壁７８の一方の側面には、外縁フレーム７１接触部分からガイド壁７５接触部分に至る細長い窪み７８ａ（以下「係合凹部７８ａ」という。）が形成されている。このことの詳細は後述する。
【００３２】
次に、本実施形態に係る基板支持部材８０について説明する。図１１に示すように、本実施形態に係る基板支持部材８０は、上記台座部６２と同様の台座部８２を主要構成部とする長尺ブリッジ状の部材（典型的には合成樹脂製）である。すなわち、図１１（ａ）および（ｃ）に示すように、台座部８２の下部には、ガイド壁７５の上面部を挟み込む態様で当該ガイド壁７５と係合し得るフラットアーチ状の凹部８２ａが形成されている。また、図１０に示すように、この台座部８２の長軸方向のサイズは、外縁フレーム７１の長辺間（フレーム部分を含まず）の距離よりも僅かに短くなるように形成されている一方、当該台座部８２の幅については、上記各空間部７７の幅よりも僅かに狭くなるように形成されている。この結果、本基板支持部材８０はガイド壁７５を跨いで隔壁７８内に配置することができる。一方、この台座部８２の高さは、隔壁７８間の空間部７７に配置した際に当該台座部８２の頂部が外縁フレーム７１上に載置した回路基板３６の上に若干突出し得る程度に設計されている（図１２参照）。
【００３３】
また、図１１（ｂ）および（ｄ）に示すように、台座部８２の頂上部における一方の側面（長軸方向の一方）には、外縁フレーム７１上に載置された回路基板３６の縁部の一端を隔壁７８方向に押さえつけて保持し得る保持片８１が延伸形成されている。他方、当該保持片８１が形成されている側の反対側には、台座部６２の底からやや上方において、外側面から凹部８２ａに至る係合突起８３ａ，８３ｂが形成されている。而して、図１１（ｄ）に示すように、当該係合突起８３ａ，８３ｂ寄りの台座部８２底面から上方に向けて、当該係合突起８３ａ，８３ｂの位置よりも上方までに至る深さの長溝８２ｂ（以下「係合調整溝８２ｂ」という。）が外側面から凹部８２ａに亘って形成されている。これにより、当該係合調整溝８２ｂによって隔てられた可撓片８２ｃが形成されることとなる。かかる構成の結果、本実施形態に係る基板支持部材８０は、上述の実施形態に係る基板支持部材６０（図６）と異なり、ねじ締めを行うことなく固定状態を保って基板取付け部７０に装着することができる。すなわち、図１２に示すように、本基板支持部材８０をいずれかの空間部７７に挿入する際、上記係合突起８３ａ，８３ｂは隔壁７８の一部に当たるため、本来的にはその状態で挿入が阻まれる。しかし、本実施形態においては、上記係合調整溝８２ｂが形成されている結果、より強い外力が挿入方向に加えられた場合には、係合突起８３ａ，８３ｂを含む可撓片８２ｃが係合調整溝８２ｂ方向に撓み、結果、係合突起８３ａ，８３ｂ部分の空間部７７への挿入が果たせる。而して、可撓片８２ｃの反発力によって係合突起８３ａ，８３ｂを隔壁７８側面に摺らせつつそのまま押し込むことによって、ガイド壁７５を凹部８２ａに挟み込んだ状態で、基板支持部材８０が所定の位置（図１２参照）に配置される。このとき、係合突起８３ａ，８３ｂの配置される部位に上記係合凹部７８ａを設けておくことによって、上記撓んだ状態の可撓片８２ｃの反発力によって、当該係合凹部７８ａに係合突起８３ａ，８３ｂが嵌り込むことになる（図１２）。この係合凹部７８ａと係合突起８３ａ，８３ｂとの係合（嵌合）によって、外力が加えられない場合における本基板支持部材８０の当該空間部７７内においての固定状態が維持されるわけである。そして、当該空間部７７から本基板支持部材８０を引き抜きたい場合には、上記とは逆に引き抜く方向に本基板支持部材８０に外力を加えることによって再び可撓片８２ｃを撓ませて当該係合凹部７８ａから係合突起８３ａ，８３ｂを開放すればよい。このことによって、係合突起８３ａ，８３ｂを隔壁７８側面部に対して摺動させつつ、本基板支持部材８０を空間部７７から引き抜くことができる。
【００３４】
次に、上記構成の基板取付け部７０における回路基板３６の支持・装着態様について説明する。なお、本実施形態についても、上記基板支持部材８０によって、回路基板３６自体を直接ねじ止めすることなく基板取付け部７０に支持・装着することができる。典型的な本実施形態に係る基板取付け手順では、図１０に示すように、回路基板３６の対応する一辺のコーナー部を嵌合片７３ａ，７３ｃの下面側の嵌合間隙７４ａ，７４ｃに嵌め込みつつ、回路基板３６全体を外縁フレーム７１上に載置する。次いで、図１２に示すように、好適な一の空間部７７に基板支持部材８０の台座部８２を挿入するとともに、当該載置した回路基板３６における縁部の一端（嵌合片７３ａ，７３ｃに嵌合されていない側の縁部）を保持片８１と隔壁７８との間に挟んで保持する。このとき、上述のとおり、係合突起８３ａ，８３ｂが隔壁７８の係合凹部７８ａに嵌合することによって、基板支持部材８０は当該空間部７７に台座部８２の下部が挿入された状態で固定される。同時に、回路基板３６をその位置に支持することができる。なお、ここで保持片８１の下面側および／または隔壁の上面側に弾性材料（例えばシリコンゴム等からシート材）を取り付けておくことによって、当該保持片８１下面と隔壁７８上面との間に挟み込んだ回路基板３６の保持（圧着）性能を向上させることができる。以上のとおり、かかる基板取付け手順によれば、本実施形態に係る基板取付け部７０に所望する回路基板３６（ここでは中継基板）を平易且つ確実に支持・装着することができる。
【００３５】
以上、本発明に係る基板取付け部および基板支持部材に関する好適な二つの実施形態を説明したが、本発明に係る基板取付け部は、当該基板取付け部に取り付けられる回路基板のサイズに応じて基板支持部材の基板取付け部における配置位置が変更可能に構成されておればよく、上記実施形態におけるような遊技機本体（ここでは下部誘導樋４１）に直接形成あるいは固着されたものである必要はなく、着脱可能な形態のものでもよい。以下、かかる着脱可能に形成された基板取付け部としての好適例を図面を参照しつつ説明する。なお、図１３および図１４は、着脱可能に形成された基板取付け部９０，９５の具体例を模式的に示す正面図である。図１５は、かかる着脱可能に形成された基板取付け部９０を弾球遊技機１の下部誘導樋４１に取り付けた一例を示す図である。
【００３６】
図１３および図１５に示すように、本実施形態に係る基板取付け部９０は、下部誘導樋４１表面に別途設けられた装着部８８に取り付けられるプレート状に形成された構造物（以下「基板取付けプレート９０」という。）である。図１３に示すように、本基板取付けプレート９０は、一枚のフラットな矩形状の基台に相当するベース板９１（好ましくは合成樹脂性若しくは金属製）の表面上に上述の図４〜図９において説明した基板取付け部５０が設けられて成る基板取付け部である。すなわち、図１３に示すように、ベース板９１の表面には当該表面部のほぼ全体を囲うようにして上記外縁フレーム５１が形成され、当該フレーム５１に包囲された内側には上記ガイド壁５５が形成されている。また、外縁フレーム５１の四方のコーナー部の外方には、上記コーナーフレーム５２ａ，５２ｂ，５２ｃ，５２ｄおよび嵌合片５３ａ，５３ｂ，５３ｃ，５３ｄが形成されている。これらの作用効果は上述のとおりである。そして、本実施形態に係る基板取付けプレート９０においても上述の基板支持部材６０（図６）が同様に使用される。従って、図１３に示すように、かかる基板取付けプレート９０においても上述の図９において示したものと全く同様に、サイズの異なる回路基板３０，３５を平易且つ確実に支持・装着することができる。なお、基板の装着方法は上述のとおりであるので重複する説明は省略する。また、ベース板９１の上下の長辺側の端部近くには、上下計４箇所の取付け孔９１ａが形成されている。
【００３７】
これに対し、図１５に示すように、上述の下部誘導樋４１の表面部には、フラットな板状の合成樹脂製の装着部８８が形成されている。而して、その表面部には、多数の取付けボス８９ａ〜ｃが形成されている。ここでは、当該装着部のほぼ中央に上下方向に一列に並ぶ複数の取付けボス８９ｂと、その左右の対称となる位置において同様に上下方向に一列に並ぶ複数の取付けボス８９ａ，８９ｃとが形成されている。これら計三列に並説された複数の取付けボス８９ａ〜ｃの中から任意のボスを選択して、所望する位置に基板取付けプレートを装着することができる。すなわち、本実施形態においては図１５に示すように、左右の列の取付けボス８９ａ，８９ｃのうち、最も上部にあるものと下から三番目のものとの計４箇所のボスと予め回路基板３０，３５を装着している基板取付けプレート９０の取付け孔９１ａとを合わせてねじｖで締め付けることによって、装着部８８へ基板取付けプレート９０の装着（即ち回路基板３０，３５の装着）を行なうことができる。
【００３８】
以上のように、着脱可能な形態の基板取付け部９０によれば、上述の下部誘導樋４１自体に形成されている形態の基板取付け部５０，７０と同様に、装着した回路基板３０，３５をサイズの異なる他の回路基板に取り替えたりそのような回路基板を増設したりすることを、基板支持部材６０の配置位置の変更によって容易に行うことができる。加えて、かかる着脱可能な形態の基板取付け部９０によれば、予め基板取付け部９０に回路基板３０，３５を装着した後で、弾球遊技機１に装着すればよいため、遊技機への基板取付け作業が容易であり作業効率が向上する。
【００３９】
また、本実施形態のように、遊技機本体（ここで下部誘導樋４１）における回路基板の装着部８８に基板取付け部の取付け位置が選択可能となる装着手段（ここでは取付けボスの形成位置やその数によって対応している）を設けることによって、遊技盤構成に応じて弾力的に基盤取付け部の装着位置を異ならせることができる。さらには、サイズ・形状の異なる基盤取付けプレートを予め用意しておくことによって、それに対応するサイズ・形状の異なる回路基板を遊技機本体の構成部材（例えば下部誘導樋）を形状の異なるものに取り替えることなく装着することができる。例えば、図１４に示すように、装着したい矩形状回路基板３７，３８のサイズ・形状が大きくなり、上記実施の形態におけるような一方向（長辺方向）のみのサイズ変更では対処できなくなった場合には、当該回路基板３７，３８に対応する大型の基板取付け部（プレート）９５および当該基板取付けプレート９５に対応した大きさの基板支持部材９９を予め作製しておくとよい。すなわち、図１４に示す基盤取付けプレート９５は、より大型のベース板９６に形成された外縁フレーム９４の全長およびガイド壁９７の上下方向の幅が異なる以外、嵌合片９８ａ〜ｄ等の構造は全て上述のもの（図５）と同様である。また基板支持部材９９もガイド壁９７の形状変更に合わせて大型化しただけであって、その他の支持構造自体は図６に示す上述のものと同じである。
【００４０】
このような基盤取付けプレート９５を予め作製することによって、より大型の回路基板３７，３８を上述の実施形態と同様に平易且つ確実に当該基板取付けプレート９５に装着することができる。例えば、図１５に示す装着部８８の左右の列の取付けボス８９ａ，８９ｃのうち、最も上部にあるものと最も下部にあるものの計４箇所のボスと基板取付けプレート９５の取付け孔９６ａとを合わせてねじｖで締め付けることによって、上記と同じ装着部８８にかかる大型の基板取付けプレート９０（回路基板３０，３５）を装着することができる。同様に、より小さいサイズ・形状の回路基板を装着させたい場合は、予め小型形状の基板取付けプレートおよび基板支持部材を作製し、上述のようにして、装着部８８のいずれかの取付けボス８９ａ〜ｃを利用して当該小型プレートを装着すればよい。
【００４１】
以上、本発明の好適ないくつかの実施形態を弾球遊技機を例にして説明したが、本発明は遊技機の基板取付け部に係る創作であるため、それを具現化するものは弾球遊技機に限られない。本発明は、種々の遊技ホールに備えられる遊技機（例えば、パチスロ等のスロットマシン機、ピンボール機、写真シール製造機）全般に適用され得る。
【００４２】
【発明の効果】
本発明によれば、煩雑な操作や主要構成部材の変更を伴わずに、遊技盤に装着される回路基板の形状変更を伴う取り替えを容易に行い得る基板取付け部を有する遊技機を提供することができる。
【００４３】
すなわち、本発明の遊技機に設けられた基板取付け部によれば、サイズの異なる回路基板相互の交換や増設を基板取付け部自体の変更を伴うことなく容易に行うことができる。従って、上記従来におけるもののように基板取付け部構成部材を回路基板の形状変更を想定して何種類も予め作製しておく必要もなく、それに伴う製造コストや在庫・生産管理の手間を削減することもできる。
【００４４】
また、本発明では、回路基板を支持する基板支持部材の基板取付け部における配置位置を変更することによって、サイズの異なる回路基板（典型的には、矩形状回路基板の横幅が相互に異なるもの）を選択的に当該基板取付け部において支持・装着することができる。このため、本発明の遊技機によれば、基板の変更および増設作業を平易に行うことができる。
【００４５】
また、上記ガイド壁が形成されるとともにそのガイド壁に沿った基板支持部材の移動によって当該基板支持部材における上記配置位置の変更が行われる事を特徴とする本発明の遊技機では、当該ガイド壁に規制されることによって基板支持部材の配置位置の変更に際してその位置決めを容易に行うことができる。このため、かかる構成の遊技機によれば、基板取り付け部に装着されている回路基板を当該基板とはサイズの異なる他の基板に取り替えることがさらに容易となる。
【００４６】
また、上記基板支持部材に回路基板の縁部の一端を保持し得る保持部が設けられた本発明の遊技機によれば、当該保持部に当該縁部の一端が保持されることによって、当該回路基板の支持が実現される。このため、回路基板のほぼ中央部分に配される配線部分は当該支持に際して物理的干渉を受けない。従って、かかる構成の本発明の遊技盤によれば、配線部分の形状を物理的制約（配置スペース上の制限等）とすることなく、サイズの異なる数タイプの回路基板を選択的に基板取付け部に装着することが可能となる。
【図面の簡単な説明】
【図１】一実施形態に係る本発明の弾球遊技機の背面図である。
【図２】一実施形態に係る本発明の弾球遊技機の遊技盤裏面側の構造を示す背面図である。
【図３】図２における主要部拡大図である。
【図４】一実施形態に係る基板取付け部を模式的に示す正面図である。
【図５】一実施形態に係る基板取付け部を構成する主要構成部材を模式的に示す正面図である。
【図６】（ａ）（ｂ）（ｃ）および（ｄ）は、それぞれ、一実施形態に係る基板支持部材の構造を示す左側面図、正面図、右側面図および下面図である。
【図７】図４におけるＶＩＩ−ＶＩＩ線断面図である。
【図８】一実施形態に係る基板取付け部を模式的に示す正面図である。
【図９】一実施形態に係る基板取付け部を模式的に示す正面図である。
【図１０】一実施形態に係る基板取付け部を模式的に示す正面図である。
【図１１】（ａ）（ｂ）（ｃ）および（ｄ）は、それぞれ、一実施形態に係る基板支持部材の構造を示す左側面図、正面図、右側面図および下面図である。
【図１２】一実施形態に係る基板取付け部に回路基板を支持した一態様を模式的に説明する断面図である。
【図１３】脱着可能に形成された基板取付け部の一例を模式的に示す正面図である。
【図１４】脱着可能に形成された基板取付け部の一例を模式的に示す正面図である。
【図１５】脱着可能に形成された基板取付け部を弾球遊技機の下部誘導樋に取り付けた一例を示す正面図である。
【符号の説明】
１ 弾球遊技機
１９ 遊技盤
２６ａ，２６ｂ，２８ａ，２８ｂ，３０，３２，３４，３５，３６ 回路基板
４０ 下誘導樋ユニット
４２ａ，４２ｂ 球誘導路
５０，７０，９０，９５ 基板取付け部
５１，７１ 外縁フレーム
５３ａ，５３ｃ 嵌合片
５７，５７ 空間部
５５，７５ ガイド壁
５６ ねじ孔
６０，８０ 基板支持部材
６１ 保持部
６１ａ 保持溝
６２，８２ 台座部
６２ａ 凹部
６３ 取付け片
６３ａ 貫通孔
ｖ ねじ
【図１】
0004403322.tif 000002
【図２】
0004403322.tif 000003
【図３】
0004403322.tif 000004
【図４】
0004403322.tif 000005
【図５】
0004403322.tif 000006
【図６】
0004403322.tif 000007
【図７】
0004403322.tif 000008
【図８】
0004403322.tif 000009
【図９】
0004403322.tif 000010
【図１０】
0004403322.tif 000011
【図１１】
0004403322.tif 000012
【図１２】
0004403322.tif 000013
【図１３】
0004403322.tif 000014
【図１４】
0004403322.tif 000015
【図１５】
0004403322.tif 000016